(57)【要約】【課題】水平方向だけでなく、垂直方向に並列された電線、その他の架線が分岐する箇所や架線方向を変更する箇所において、架線を施工性よく支持することができるようにした架線の支持具を提供する。【解決手段】本発明に係る架線の支持具は、貫通孔２１を中心軸に形成し、引留具４０，５１，５２，５３のハンガー部４２，５１ａ，５２ａ，５３ａ及び架線３を掛止する環状溝２２を周面に形成した碍子２０と、碍子２０の貫通孔２１内に挿通される中軸１０とが備えられている。前軸１０が、並列された複数本の架線２，３間に亘る長さに形成されている。碍子２０が、各架線２，３の位置に一致するように配置され、碍子２０の両端面が中軸１０を外嵌する固定部材３０に挟まれる。中軸１０の外周面に、全長に亘って又は各碍子２０が配置される部分にのみネジ１１が形成され、前記固定部材３０が開閉する半割れの部材からなる中間部差込ナットとされる。【選択図】図７
2010022173.tif 000002
【特許請求の範囲】
【請求項１】
貫通孔を中心軸に形成し、引留具のハンガー部及び架線を掛止する環状溝を周面に形成した複数の碍子と、該複数の碍子の貫通孔内に挿通される中軸とが備えられている架線の支持具であって、
前記中軸が、並列された複数本の架線間に亘る長さに形成され、前記碍子が、各架線の位置に一致するように配置され、該各碍子の両端面が中軸を外嵌する固定部材に挟まれていることを特徴とする架線の支持具。
【請求項２】
前記中軸の外周面に、全長に亘って又は各碍子が配置される部分にのみネジが形成され、前記固定部材が開閉する半割れのパーツを組み合わせた中間部差込ナットであることを特徴とする請求項１に記載の架線の支持具。
【請求項３】
前記碍子は、環状溝が長さ方向に複数形成された多溝碍子であることを特徴とする請求項１又は２に記載の架線の支持具。
【請求項４】
前記架線が電柱間で垂直方向に並列された複数本の電線と、最下の電線の下方に電柱間で張設された柱間メッセンジャワイヤとからなり、前記電線を電柱間で途中分岐させるための請求項１ないし３のいずれか１項に記載の架線の支持具であって、
前記中軸が垂直姿勢で架線の途中分岐された箇所に配置され、最下の碍子の環状溝に柱間メッセンジャを保持した引留め具のハンガー部が掛止され、最下以外の碍子の環状溝に電線を保持した引留具のハンガー部及び架線が掛止されていることを特徴とする請求項１から３のいずれか１項に記載の架線の支持具。
【請求項５】
前記架線が、一方の電柱から他方の電柱に向かう径間途中で架線方向を変更する電線と、架線方向を変更した箇所から他方の電柱に張設される片側メッセンジャワイヤとからなり、架線方向の変更箇所で架線を支持するための請求項１ないし３のいずれか１項に記載の架線の支持具であって、
前記中軸が垂直姿勢で架線方向の変更箇所に配置され、各碍子の環状溝に、各方向を向いている電線をそれぞれ保持した各引留め具のグリップ部が掛止され、いずれか２つの碍子の環状溝に前記片側メッセンジャワイヤの一端部を保持した引留め具のグリップが掛止されていることを特徴とする架線の支持具。
【発明の詳細な説明】
【技術分野】
【０００１】
本発明は、電柱間に架け渡された電線などの架線を電柱間において分岐したり、架線方向を変更したりするために使用する架線の支持具に関し、詳しくは、複数並列された架線を一定の間隔を維持して掛止するための複数の碍子が備えられた架線の支持具に関する。
【背景技術】
【０００２】
道路の交差点などにおいては、図１５に示すように、電柱１，１間に架設された電線２，２，２がＴ字形に分岐し、あるいは、図示しないがＬ字形に架線方向が転換される箇所がある。このような箇所では、電線２，２，２が架線の支持具によって支持される。例えば、特許文献１には、電柱１，１間で電線２，２，２の下方に張設された柱間メッセンジャワイヤ３を利用する配電線の空中分岐構造及び空中分岐方法及び分岐用絶縁体が開示されている。
【０００３】
この特許文献１に開示された配電線の空中分岐構造は、水平方向に並列された３本の本線（電線）２，２，２から分岐した３本の分岐線２a，２ａ，２ａを分岐用絶縁体１００によって支持するものである。この分岐用絶縁体１００は、図１６に示すように、メッセンジャワイヤ３の挿通孔を軸方向に形成した管状のＦＲＰ製の芯材１０１と、この芯材１０１の外周に被覆されたゴム製の外皮材１０２と、この外皮材１０２に所定の間隔をおいて外嵌された樹脂製の複数のリング部材１０３から構成されている。
【０００４】
そして、リング部材１０３の外周面には、支持部材１１０の巻付グリップ１１１を支持するための環状凹部が形成されている。支持部材１１０は、分岐線２ａと接続線２ｂとを接続するコネクタ（図示せず）を内蔵した本体部と、リング部材１０３に掛けられるループ状の巻付グリップ１１１とを備えている。このような配電線の空中分岐構造においては、分岐用絶縁体１００の挿通孔にメッセンジャワイヤ３が挿通されることにより、部品点数を低減し、軽量化を図ることができる。
【０００５】
なお、特許文献２には、メッセンジャワイヤを取り付けるための連結部をＦＲＰ製の芯材の両端部に備えた電線用スペーサ（特許文献１における分岐用絶縁体１００に相当）が開示されている。
【０００６】
【特許文献１】特開２００４−２６６９１６号公報
【特許文献２】特開２００３−３２８６３号公報
【発明の開示】
【発明が解決しようとする課題】
【０００７】
電柱間に架設される電線は、高圧であれば背景技術において説明したように、水平方向に並列されるが、低圧であれば、垂直（鉛直）方向に並列される。垂直方向の電線を支持する従来の架線の支持具は、貫通孔を中心軸に形成し、かつ、電線を掛止する環状溝を外周面に形成した複数の碍子と、この各碍子の貫通孔を貫通するボルトとを備えている。ボルトは、長くて７０ｃｍ程度であり、せいぜい４本の電線しか支持することができない。しかし、４本の電線を支持した架線の支持具は、重量があることから、撓んでしまい、電線の下方に張設された柱間メッセンジャワイヤ又は通信ケーブルなどに接触することがある。
【０００８】
また、引用文献１，２に開示された架線の支持具（分岐用絶縁体１００、電線用スペーサ）は、芯材１０１がＦＲＰ製で軽量化されているが、水平方向に並列された電線から分岐された分岐線２ａを支持するものであり、垂直方向に架設された電線を分岐されたり、電柱１，１間で電線２の架線方向を変更させたりするための構造となっていない。
【０００９】
さらに、特許文献１に開示された配電線の空中分岐構造は、芯材１０１に形成された挿通孔内に柱間メッセンジャワイヤ３を挿通するものであるため、柱間メッセンジャワイヤ３が既に電柱１，１間に張設されていると、柱間メッセンジャワイヤ３を一旦、地上に降ろさなければならず、施工性がよいとはいえない。
【００１０】
そこで、本発明は、水平方向だけでなく、垂直方向に並列された電線、その他の架線が分岐する箇所や架線方向を変更する箇所において、架線を施工性よく支持することができるようにした架線の支持具を提供することを課題とする。
【課題を解決するための手段】
【００１１】
本発明に係る架線の支持具は、貫通孔を中心軸に形成し、引留具のハンガー部及び架線を掛止する環状溝を周面に形成した複数の碍子と、該複数の碍子の貫通孔内に挿通される中軸とが備えられている架線の支持具であって、前記中軸が、並列された複数本の架線間に亘る長さに形成され、前記碍子が、各架線の位置に一致するように配置され、該各碍子の両端面が中軸を外嵌する固定部材に挟まれていることを特徴としている。
【００１２】
この架線の支持具によれば、中軸が複数本の架線間に亘る長さに形成されていることにより、架線が例えば４本の電線と１本の柱間メッセンジャワイヤとを並列させたものである場合であっても、中軸は５本の架線に亘る長さに形成され、各碍子が各架線の位置に一致して配置され、各碍子の両端面が中軸を外嵌する固定部材に挟まれることによって固定されるため、各碍子の環状溝に引留め具のハンガー部及び架線を掛止することができる。
【００１３】
また、前記本発明に係る架線の支持具において、前記中軸の外周面に、全長に亘って又は各碍子が配置される部分にのみネジが形成され、前記固定部材が開閉する半割れのパーツを組み合わせた中間部差込ナットであることが好ましい。
【００１４】
この架線の支持具によれば、中軸の外周面に形成されたネジに中間部差込ナットを螺合することができるため、各碍子を所定の位置に容易かつ確実に固定することができる。なお、中軸の全長に亘ってネジが形成されると、１本の中軸に例えば５個の碍子を固定するときも４個の碍子を固定するときも、各碍子を等間隔に配置することができる。一方、各碍子が配置される部分にのみ中軸にネジが形成されると、各碍子を所定の位置に容易に配置することができる。
【００１５】
また、前記本発明に係る架線の支持具において、前記碍子は、環状溝が長さ方向に複数形成された多溝碍子であることが好ましい。
【００１６】
この架線の支持具によれば、碍子として多溝碍子が使用されることにより、引留め具のハンガー部及び架線をそれぞれ各環状溝に掛止することができ、あるいは、異なる方向に架設された架線を保持した引留め具のハンガー部をそれぞれ各環状溝に掛止することができる。
【００１７】
また、前記架線が電柱間で垂直方向に並列された複数本の電線と、最下の電線の下方に電柱間で張設された柱間メッセンジャワイヤとからなり、前記電線を電柱間で途中分岐させるための前記本発明に係る架線の支持具であって、前記中軸が垂直姿勢で架線の途中分岐された箇所に配置され、最下の碍子の環状溝に柱間メッセンジャを保持した引留め具のハンガー部が掛止され、最下以外の碍子の環状溝に電線を保持した引留具のハンガー部及び架線が掛止されていることが好ましい。
【００１８】
この架線の支持具によれば、最下の碍子が柱間メッセンジャワイヤを保持した引留め具のハンガー部を掛止し、最下以外の各碍子が各電線を保持した各引留め具のハンガー部及び電線を掛止するため、最下の電線とメッセンジャワイヤとの間隔が一定に維持され、最下の電線が撓んでメッセンジャワイヤに接触したり、各電線同士がそれぞれ振動することによって接触したりしないようにすることができる。さらに、各電線及び各引留め具のハンガー部が碍子に掛止され、この碍子が中軸に固定され、中軸に固定された最下の碍子が柱間メッセンジャワイヤを保持した引留め具のハンガー部を掛止することにより、各電線はこの架線の支持具を介して柱間メッセンジャワイヤに支持される状態となる。
【００１９】
また、前記架線が、一方の電柱から他方の電柱に向かう径間途中で架線方向を変更する電線と、架線方向を変更した箇所から他方の電柱に張設される片側メッセンジャワイヤとからなり、架線方向の変更箇所で架線を支持するための前記本発明に係る架線の支持具であって、前記中軸が垂直姿勢で架線方向の変更箇所に配置され、各碍子の環状溝に、各方向を向いている電線をそれぞれ保持した各引留め具のグリップ部が掛止され、いずれか２つの碍子の環状溝に前記片側メッセンジャワイヤの一端部を保持した引留め具のグリップが掛止されていることが好ましい。
【００２０】
この架線の支持具によれば、中軸が垂直姿勢で架線方向の変更箇所に配置され、引留め具が各方向を向いている電線をそれぞれ保持し、各引留め具のハンガー部が碍子の環状溝に係止され、別の２つの引留め具が片側メッセンジャワイヤの一端部を保持し、この２つの引留め具のハンガー部がいずれか２つの碍子に掛止されることにより、電柱間の径間途中において電線の架線方向を変更することができる。
【発明の効果】
【００２１】
本発明によれば、複数本の架線に亘る長さの支柱に、各架線に一致するように碍子が配置され、この碍子が固定部材によって所定の位置に固定された架線の支持具を提供することができるため、複数並列された架線にこの架線の支持具を掛止する作業性を向上させることができる。
【発明を実施するための最良の形態】
【００２２】
本発明に係る架線の支持具の実施形態について、図１ないし図１４を参照しながら説明する。この架線の支持具は、図１に示すように、並列された複数本の架線２，３，４間に亘る長さの中軸１０と、架線２，３，４を掛止する複数の碍子２０，２０，…と、この碍子２０を中軸１０に固定する図２に示すような固定部材３０とを備え、別途、図３及び図４に示すような架線を保持する一般的な２種類の引留め具４０，５０を使用する。
【００２３】
架線２，３，４は、図５に示すように、電柱１，１間で垂直方向に４本並列させた電線２，２，…と、最下の電線２の下方に張設された柱間メッセンジャワイヤ３と、図６に示すように、架線方向が変更される部位と電柱１との間に張設される片側メッセンジャワイヤ４とを含めた概念であるが、メッセンジャワイヤ３，４が含まれない場合もある。また、いずれにしても、電線２，２，…は、図５に示すように、電柱１，１間において分岐される場合（垂直途中分岐）と図６に示すように、電柱１，１間において架線方向が変更される場合（径間途中支持）とがある。
【００２４】
このような架線２，３，４を支持するための架線の支持具を構成している中軸１０は、防錆及び軽量化を図るため、アルミニウム合金によって図１（ａ）に示すようにパイプ形状に形成される。ただし、中軸１０は、防錆及び軽量化を図ることができるものであれば、ＦＲＰなどによって形成してもよい。また、パイプに形成された中軸１０は、柱間メッセンジャワイヤ３を挿通することができる。なお、柱間メッセンジャワイヤ３を挿通しない場合において、軽量化を図ることができる材質で形成される中軸１０は、中実としてもよい。
【００２５】
いずれにしても、中軸１０には、ネジ１１が形成されている。ネジ１１は、図１に示すように、碍子２０を配置する所定の場所にのみ形成してもよいし、図示しないが全長に形成してもよい。ネジ１１が碍子２０を配置する場所にのみ形成されると、碍子２０を配置する位置が明確になるものの、碍子２０を５箇所に配置する場合と４箇所に配置する場合とで個別に製造しなければならない。一方、ネジ１１が全長に形成されると、碍子２０を配置する個数に関係なく使用することができるものの、碍子２０を等間隔に配置するための目印を付することが好ましい。
【００２６】
そして、碍子２０は、中軸１０が貫通する貫通孔２１を中心軸に形成し、引留め具４０，５０のハンガー部４２，５１a，５２ａを係止する環状溝２２を周面に形成したもので、図１（ｂ）に示すように長さ方向に２本の環状溝２２，２２を形成した多溝碍子（以下、「２線用碍子」ともいう。）２０Ａと、図１（ｃ）に示すように長さ方向に３本の環状溝２２，２２，２２を形成した多溝碍子（以下、「３線用碍子」ともいう。）２０Ｂが使用される。なお、３線用碍子２０Ｂは、メッセンジャワイヤ３，４がＴ字形、Ｌ字形さらに十字形に張設されても対応することができるように、３本の環状溝２２，２２，２２が形成されている。
【００２７】
２線用碍子２０Ａの環状溝２２の各幅は、少なくとも電線２及び電線２を保持する引留め具４０のハンガー部４２が入る大きさに形成され。また、３線用碍子２０Ｂの環状溝２２は、メッセンジャワイヤ３，４を保持する引留め具５１，５２のハンガー部５１ａ，５２ａが入る大きさに形成されている。
【００２８】
そして、固定部材３０としては、図２（ａ）（ｂ）に示すように、開閉する半割れのパーツ３１，３２からなる中間部差込ナット３０を使用する。
【００２９】
図２（ａ）に示す中間部差込ナット３０は、縦方向に半割され、かつ、両端部が重なり合う２つのパーツ３１，３１と、このパーツ３１，３１の一端部を軸支するピン３１ａとからなりパーツ３１の他端部に凹凸部３１ｂ，３１ｂが設けられ、パーツ３１，３１が閉じられた状態において、中心部に雌ネジ３１ｃを設けるように形成されている。この中間部差込ナット３０は、パーツ３１，３１が開いた状態で中軸１０のネジ１１を挟み、閉じることによって凹凸部３１ｂ，３１ｂが噛み合うことによって閉じた状態を維持し、雌ネジ３１ｃが中軸１０のネジ１１と螺合するようにされている。
【００３０】
図２（ｂ）に示す中間部差込ナット３０は、横方向に半割とされた２つのパーツ３２，３２からなり、各パーツ３２，３２の一部に中軸１０の直径と同じ幅の切欠部３２ａ，３２ａが設けられ、パーツ３２，３２の重なり合っている一方の面に環状の蟻溝３２ｂが形成され、他方の面にこの蟻溝に嵌められる環状の突条３２ｃが形成されることによって各パーツ３２，３２が重なり合って回転し、両切欠部３２ａ，３２ａが重なり合わない状態において中心部に雌ネジ３２ｄを設けるように形成されている。この中間部差込ナット３０は、切欠部３２ａ，３２ａが連続する状態で中軸１０のネジ１１を挟み、一方のパーツ３２を回転し、両切欠部３２ａ，３２ａが重なり合わない状態とすることにより、雌ネジ３２ｄが中軸１０のネジ１１と螺合するようにされている。
【００３１】
そして、引留め具４０，５０は、電線２を保持するものと、メッセンジャワイヤ３，４を保持するものの２種類が使用される。電線２を保持する引留め具４０は、図３に示すような汎用されているもので、電線２を挟む状態に保持する本体部４１と、この本体部４１にループ状に取り付けられたハンガー部４２とを備えている。
【００３２】
また、メッセンジャワイヤ３，４を保持する引留め具５０は、３タイプ５１，５２，５３が使用される。第１のタイプの引留め具５１は、図４（ａ）に示すように、３線用碍子２０Ｂの環状溝２２に掛止されるハンガー部５１ａを中心部に設け、両端部５１ｂ，５１ｂを螺旋状に成形したもので、ループ状にして両端部５１ｂ，５１ｂがメッセンジャワイヤ３，４の端部に絡められる。
【００３３】
また、第２のタイプの引留め具５２は、図４（ｂ）に示すように、３線用碍子２０Ｂの環状溝２２に半周だけ掛止されるハンガー部５２ａがＵ字形に突出し、両端部５２ｂ，５２ｂが直線状に延ばされ、螺旋状に形成されたもので、両端部５２ｂ，５２ｂが柱間メッセンジャワイヤ３に絡められる。そして、第３のタイプの引留め具５３は、図４（ｃ）に示すように、碍子２０の各端部に掛止される一対のハンガー部５３ａと、片側メッセンジャワイヤ４の端部が掛止されるシンブル５３ｂとを備えている。これらの引留め具５１，５２，５３は、使用状況に応じて選択される。
【００３４】
ここで、このような架線の支持具の使用例について説明する。ここでは、ネジ１１を部分的に形成した中軸１０を使用する。
【００３５】
まず、図５に示すように、架線が電線２，２，…と柱間メッセンジャワイヤ３とが垂直方向に並列し、垂直途中分岐させる場合について説明する。
【００３６】
電線２，２，…が４本張設された場合における架線の支持具は、図７に示すように、５箇所にネジ１１を形成した中軸１０を使用する。また、電線２，２，３が３本張設された場合における架線の支持具は、図８に示すように、４箇所にネジ１１を形成した中軸１０を使用する。
【００３７】
いずれの場合も、中軸１０の最下部に形成したネジ１１の部分に３線用碍子２０Ｂを配置し、中軸１０の中間部及び上部に形成したネジ１１の部分に２線用碍子２０Ａを配置し、各碍子２０Ｂ，２０Ａの両端面が固定部材３０，３０に挟まれ、各碍子２０Ａ，２０Ｂが所定の位置に固定されている。
【００３８】
そして、最下の３線用碍子２０Ｂの２本の環状溝２２，２２には、図４（ａ）に示した２つの引留め具５１，５１のハンガー部５１ａ，５１ａが反対方向に掛止されることによって、柱間メッセンジャワイヤ３が張設される。また、他の２線用碍子２０Ａの一つの環状溝２２には、図３に示した引留め具４０のハンガー部４２が掛止され、他の環状溝２２には電線２が掛止される。
【００３９】
また、柱間メッセンジャワイヤ３が張設されない場合において、４本の電線２，２，…を途中分岐させるには、図９に示すように、４箇所にネジ１１を形成した中軸１０を使用し、それぞれに２線用碍子２０Ａを固定する。そして、柱間メッセンジャワイヤ３が張設されない場合において、３本の電線２，２，２を途中分岐させるには、図１０に示すように、５箇所にネジ１１を形成した中軸１０を使用し、両端と中心の３箇所のネジ１１に２線用碍子２０Ａを固定する。
【００４０】
これらの柱間メッセンジャワイヤ３が張設されない場合の２線用碍子２０Ａの一つの環状溝２２には、図３に示した引留め具４０のハンガー部４２が掛止され、他の環状溝２２には電線２が掛止される。
【００４１】
次に、図６に示すように、電柱１，１間に電線２，２，…と柱間メッセンジャワイヤ３とが垂直方向に並列し、片側メッセンジャワイヤ４によって電線２，２，…を電柱１，１間において径間途中支持し、架線方向を変更する場合について説明する。
【００４２】
電線２，２，…が４本張設された場合における架線の支持具は、図１１に示すように、５箇所にネジ１１を形成した中軸１０を使用する。また、電線２，２，…が３本張設された場合における架線の支持具は、図１２に示すように、４箇所にネジ１１を形成した中軸１０を使用する。
【００４３】
いずれの場合も、中軸１０の最下部に形成したネジ１１の部分に３線用碍子２０Ｂを配置し、中軸１０の中間部及び上部に形成したネジ１１の部分に２線用碍子２０Ａを配置し、各碍子２０Ｂ，２０Ａの両端面が固定部材３０，３０に挟まれ、各碍子２０Ｂ，２０Ａが所定の位置に固定される。
【００４４】
そして、最下の３線用碍子２０Ｂの環状溝２２には、図４（ａ）に示した引留め具５１のハンガー部５１ａが掛止される。また、他の２線用碍子２０Ａの一つの環状溝２２には、図３に示した引留め具４０のハンガー部４２が掛止され、他の環状溝２２には電線２が掛止される。さらに、最下と最上の２線用碍子２０Ａには、図４（ｃ）に示した引留め具５３のハンガー部５３ａが掛止され、片側メッセンジャワイヤ４の端部が引留め具５３のシンブル５３ｂに掛止されることによって、片側メッセンジャワイヤ４が張設される。
【００４５】
そして、柱間メッセンジャワイヤ３が張設されない場合において、４本の電線２，２，…を径間途中支持するには、図１３に示すように、４箇所にネジ１１を形成した中軸１０を使用し、それぞれに２線用碍子２０Ａを固定する。また、柱間メッセンジャワイヤ３が張設されない場合において、３本の電線２，２，…を径間途中支持するには、図１４に示すように、５箇所にネジ１１を形成した中軸１０を使用し、両端と中心の３箇所のネジ１１に２線用碍子２０Ａを固定する。いずれも、下端と上端の２線用碍子２０Ａの環状溝２２には、図４（ｃ）に示した引留め具５３のハンガー部５３ａが掛止され、片側メッセンジャワイヤ４が張設される。
【００４６】
以上のように、この架線の支持具は、碍子２０が中軸１０に所定の間隔を空けて固定され、各碍子２０に電線２，２，…及びメッセンジャワイヤ３，４（張設されている場合のみ）を保持した引留め具４０，５０のハンガー部４３，５１ａ，５２ａが掛止されるため、各電線２，２，…と柱間メッセンジャワイヤ３とが所定の間隔を維持し、接触しないようにすることができる。
【００４７】
なお、本発明は、前記の実施形態に限定することなく種々変更することができる。例えば、柱間メッセンジャワイヤ３を図４（ｂ）に示すような引留め具５２によって支持する場合は、２線用碍子２０Ａを使用してもよい。
【００４８】
また、この架線の支持具は、背景技術において説明したような水平方向に並列された電線２，２，…を途中分岐する場合でも使用することができる。この場合において、パイプ形状に形成した中軸１０を使用するときは、中軸１０内に柱間メッセンジャワイヤ３を挿通し、中軸１０の両端部をコネクタ（図示せず）によって柱間メッセンジャワイヤ３に固定し、あるいは、中実の中軸１０を使用するときは、中軸１０の両端部にコネクタ（図示せず）を設け、このコネクタが分断された柱間メッセンジャワイヤ３の両端部を固定する。
【００４９】
また、碍子２０は、支持される引留め具４０のハンガー部４２が干渉しないように環状溝２２を形成したものを使用することが好ましいが、新規に径間途中支持をする場合には１本の環状溝２２のみ形成した碍子２０を使用してもよい。
【００５０】
また、固定部材３０は中間部差込ナットに替え、中軸１０の所定位置に小孔を形成し、この小孔に挿し込むピンによって碍子２０を固定するようにしてもよい。
【図面の簡単な説明】
【００５１】
【図１】本発明に係る架線の支持具の一実施形態であって、（ａ）は構成部品である中軸の正面図、（ｂ）は構成部品である碍子の正面図、（ｃ）は構成部品である別の碍子の正面図である。
【図２】本発明に係る架線の支持具を構成している固定部材であって、（ａ）は第１の実施形態を示す斜視図、（ｂ）は第２の実施形態を示す斜視図である。
【図３】本発明に係る架線の支持具において使用する引留め具の一例であって、（ａ）は正面図、（ｂ）は平面図である。
【図４】本発明に係る架線の支持具において使用する引留め具の異なる例であって、（ａ）は平面図、（ｂ）は平面図、（ｃ）正面図である。
【図５】本発明に係る架線の支持具を使用する電線をいわゆる垂直途中分岐した状態を示す概略図である。
【図６】本発明に係る架線の支持具を使用する電線をいわゆる径間途中支持した状態を示す概略図である。
【図７】本発明に係る架線の支持具の使用例を示す正面図である。
【図８】本発明に係る架線の支持具の前記と異なる使用例を示す正面図である。
【図９】本発明に係る架線の支持具の前記と異なる使用例を示す正面図である。
【図１０】本発明に係る架線の支持具の前記と異なる使用例を示す正面図である。
【図１１】本発明に係る架線の支持具の前記と異なる使用例を示す正面図である。
【図１２】本発明に係る架線の支持具の前記と異なる使用例を示す正面図である。
【図１３】本発明に係る架線の支持具の前記と異なる使用例を示す正面図である。
【図１４】本発明に係る架線の支持具の前記と異なる使用例を示す正面図である。
【図１５】電線をいわゆる水平途中分岐させた状態を示す概略図である。
【図１６】従来の配電線の分岐用絶縁体（架線の支持具）の一例を示す正面図である。
【符号の説明】
【００５２】
２………架線（電線）
３………架線（柱間メッセンジャワイヤ）
４………架線（片側メッセンジャワイヤ）
１０……中軸
１１……ネジ
２０……碍子
２１……貫通孔
２２……環状溝
３０……固定部材（中間部差込ナット）
３１……パーツ
３２……パーツ
４０……引留め具
４２……ハンガー部
５０……引留め具
５１……引留め具
５１ａ…ハンガー部
５２……引留め具
５２ａ…ハンガー部
５３……引留め具
５３ａ…ハンガー部
【図１】
2010022173.tif 000003
【図２】
2010022173.tif 000004
【図３】
2010022173.tif 000005
【図４】
2010022173.tif 000006
【図５】
2010022173.tif 000007
【図６】
2010022173.tif 000008
【図７】
2010022173.tif 000009
【図８】
2010022173.tif 000010
【図９】
2010022173.tif 000011
【図１０】
2010022173.tif 000012
【図１１】
2010022173.tif 000013
【図１２】
2010022173.tif 000014
【図１３】
2010022173.tif 000015
【図１４】
2010022173.tif 000016
【図１５】
2010022173.tif 000017
【図１６】
2010022173.tif 000018